(57)【特許請求の範囲】
【請求項１】
内部に水を貯水するタンク本体と、前記タンク本体の内部へ吸気を行う導入部と、を備えた貯水タンクにおいて、
前記導入部は、前記タンク本体の内部と外部とを連通する連通流路と、前記連通流路の上流端部に設けられ吸気口を形成する吸気口部と、前記連通流路の内壁から内部に向けて突出し前記連通流路の流れ方向に直交する断面の断面積を狭める絞り部と、前記吸気口部と前記絞り部との間に設けられ前記タンク本体の内部の水が前記吸気口から外部へと流出することを抑制する逆止弁と、を有し、
前記逆止弁は、前記絞り部により形成された絞り開口を覆う逆止弁本体と、前記逆止弁本体に設けられ前記吸気口を取り囲む弁座に当接することで前記弁座との間の水密を保持可能な弁体と、を有した貯水タンク。
【請求項２】
前記弁座は前記絞り部側へ向けて突出した凸条部であり、
前記逆止弁本体は、前記逆止弁本体の外周縁が前記凸条部の外周縁よりも大きく形成された請求項１に記載の貯水タンク。
【請求項３】
前記弁座は前記絞り部側へ向けて突出した凸条部であり、
前記吸気口部は、前記弁座の基端から外方かつ前記絞り部から遠ざかる方向へ延びる傾斜面を有した請求項１又は２に記載の貯水タンク。
【請求項４】
請求項１乃至３の何れかに記載の貯水タンクを備えた水洗大便器。
【発明の詳細な説明】
【技術分野】
【０００１】
本発明は、水を貯水する貯水タンク、及び、その貯水タンクを備えた水洗大便器に関する。
【背景技術】
【０００２】
従来、リム吐水口及びジェット吐水口が形成されたボウル部と、水を貯水する貯水タンクと、を備え、リム吐水口には水道から洗浄水を直接供給し、ジェット吐水口には貯水タンク内に貯水された洗浄水を加圧して供給するようにした水洗大便器が知られている（例えば、特許文献１参照。）。これらの水洗大便器の貯水タンクには、内部の圧力の増減を抑制するように、空気を置換するための吸気口が設けられる。
【先行技術文献】
【特許文献】
【０００３】
【特許文献１】特開２０１３−２２７８５２号公報
【発明の概要】
【発明が解決しようとする課題】
【０００４】
上述した従来の貯水タンクにおいては、例えば、貯水タンク内に貯水された水の温度が貯水タンクの周囲の温度を上回った際、貯水タンク内部から外部へと吸気口から蒸気が排出される。この貯水タンク外部へ排出された蒸気によって貯水タンク周囲に結露が発生し、電気部品が存在する場合には故障の原因となる懸念がある。この懸念を解決するために、蒸気による結露水を貯水タンク内部へと返す機構を備えることが考えられる。
蒸気による結露水を貯水タンク内部へと返す機構として、例えば、吸気口よりも上側に蓋部を設け、吸気口から貯水タンク内部へと結露水を流し入れるものが考えられるが、大型化ならびにコストの増加が懸念される。
【０００５】
本発明は、上述した問題を解決するためになされたものであり、タンク本体内部にて生じた蒸気が吸気口から導入部の上流側へと向かうことを抑制することが可能な貯水タンクを提供することを目的とする。
【課題を解決するための手段】
【０００６】
本発明は、内部に水を貯水するタンク本体と、前記タンク本体の内部へ吸気を行う導入部と、を備えた貯水タンクにおいて、前記導入部は、前記タンク本体の内部と外部とを連通する連通流路と、前記連通流路の上流端部に設けられ吸気口を形成する吸気口部と、前記連通流路の内壁から内部に向けて突出し前記連通流路の流れ方向に直交する断面の断面積を狭める絞り部と、前記吸気口部と前記絞り部との間に設けられ前記タンク本体の内部の水が前記吸気口から外部へと流出することを抑制する逆止弁と、を有し、前記逆止弁は、前記絞り部により形成された絞り開口を覆う逆止弁本体と、前記逆止弁本体に設けられ前記吸気口を取り囲む弁座に当接することで前記弁座との間の水密を保持可能な弁体と、を有した貯水タンクである。
【０００７】
このように構成された本発明においては、逆止弁本体が絞り開口を覆うため、タンク本体内部にて生じた蒸気が吸気口から導入部の上流側へと向かうことを抑制することができる。
【０００８】
本発明は、さらに、前記弁座は前記絞り部側へ向けて突出した凸条部であり、前記逆止弁本体は、前記逆止弁本体の外周縁が前記凸条部の外周縁よりも大きく形成された構成としてもよい。
【０００９】
このように構成された本発明においては、より確実に、タンク本体内部にて生じた蒸気が吸気口から導入部の上流側へと向かうことを抑制することができる。
【００１０】
本発明は、さらに、前記弁座は前記絞り部側へ向けて突出した凸条部であり、前記吸気口部は、前記弁座の基端から外方かつ前記絞り部から遠ざかる方向へ延びる傾斜面を有した構成としてもよい。
【００１１】
このように構成された本発明においては、より確実に、タンク本体内部にて生じた蒸気が吸気口から導入部の上流側へと向かうことを抑制することができる。
【００１２】
本発明は、また、前記貯水タンクを備える水洗大便器である。
【００１３】
このように構成された本発明においては、タンク本体内部にて生じた蒸気が吸気口から導入部の上流側へと向かうことを抑制することが可能な貯水タンクを備えた水洗大便器を提供することができる。
【発明の効果】
【００１４】
本発明の貯水タンクによれば、タンク本体内部にて生じた蒸気が吸気口から導入部の上流側へと向かうことを抑制することが可能となる。
【図面の簡単な説明】
【００１５】
【図１】本発明の一実施形態に係る水洗大便器を示す構成図。
【図２】本発明の一実施形態に係る水洗大便器のバルブユニットを示す上面図。
【図３】図２のＩＩＩ−ＩＩＩ断面図。
【図４】図３のＩＶ−ＩＶ断面図。
【発明を実施するための形態】
【００１６】
以下、図面を参照して本発明の一実施形態に係る水洗大便器について説明する。
まず、図１により本発明の一実施形態に係る水洗大便器の構造を説明する。図１は本発明の一実施形態に係る水洗大便器を示す構成図である。
【００１７】
図１に示すように、本発明の一実施形態に係る水洗大便器１００は、トイレ室の床面（図示せず）に載置される便器本体２００と、この便器本体２００の後方に配置される機能部３００とを備える。
【００１８】
便器本体２００は、汚物を受けるボウル部２１０と、このボウル部２１０の底部から後方へ延びる排水トラップ管路２２０とを有する。ボウル部２１０にはリム吐水を行うリム吐水口２１２及びジェット吐水を行うジェット吐水口２１４が形成されている。リム吐水口２１２は、ボウル部２１０の左側上部後方に形成され、ボウル部２１０の上縁に沿って洗浄水を吐出する。ジェット吐水口２１４は、ボウル部２１０の底部に形成され、排水トラップ管路２２０に向けて洗浄水を吐出する。排水トラップ管路２２０は、封水を形成するとともに、排水ソケット（図示せず）を介して建物躯体の下水配管（図示せず）と連通している。
【００１９】
機能部３００は、リム吐水及びジェット吐水を行うために制御部（図示せず）によって制御されるバルブユニット６００と、このバルブユニット６００の下流に設けられ洗浄水が貯水される貯水タンク８００と、この貯水タンク８００内の下流に設けられ洗浄水を加圧する加圧ポンプ９００が設けられている。
【００２０】
バルブユニット６００の上流側には、給水源（図示せず）からの洗浄水を供給する給水路３２０が接続される。バルブユニット６００の下流側には、リム吐水口２１２に洗浄水を供給するためのリム側給水路３４０、及び、貯水タンク８００に洗浄水を供給するためのタンク側給水路３６０が接続されている。
【００２１】
また、バルブユニット６００は、定流量弁６２０と、この定流量弁６２０下流に設けられるダイヤフラム式の主弁６４０と、この主弁６４０下流に設けられる給水路切替弁６６０と、この給水路切替弁６６０下流に設けられるバキュームブレーカ６８０とを有する。
定流量弁６２０は、給水路３２０から定流量弁６２０に流れ込んで下流側へ向かう洗浄水の流量を一定にする。主弁６４０は、その開閉により、リム吐水口２１２及びジェット吐水口２１４における洗浄水の吐水と止水とを切替える。給水路切替弁６６０は、リム側給水路３４０またはタンク側給水路３６０へ向けて洗浄水を供給する。また、給水路切替弁６６０は、リム側給水路３４０及びタンク側給水路３６０にともに同じタイミングにて洗浄水を供給可能であって、リム側給水路３４０及びタンク側給水路３６０へ供給する洗浄水の量の割合を任意に変更できる。バキュームブレーカ６８０は上流側への洗浄水の逆流を抑制するものであり、排水路３９０により貯水タンク８００と接続される。
【００２２】
貯水タンク８００は、貯水を行うタンク本体８２０と、タンク本体８２０に設けられタンク側給水路３６０が接続される給水側逆止弁８４０、及び、排水路３９０が接続されるＶＢ側逆止弁８６０とを有する。
【００２３】
タンク本体８２０の下部には、ポンプ側給水路３７０が接続されており、このポンプ側給水路３７０の下流端には加圧ポンプ９００が接続されている。さらに、加圧ポンプ９００とジェット吐水口２１４はジェット側給水路３８０により接続されており、加圧ポンプ９００が、タンク本体８２０に貯水された洗浄水を加圧してジェット吐水口２１４まで供給するようになっている。
また、タンク本体８２０の内部には、上端フロートスイッチ（図示せず）及び下端フロートスイッチ（図示せず）が配置されており、タンク本体８２０内の水位を検出できるようになっている。上端フロートスイッチは、タンク本体８２０内の水位が所定の貯水水位に達するとオンに切り替わり、制御部はこれを検知して、主弁６４０を閉鎖させる。一方、下端フロートスイッチは、タンク本体８２０内の水位が所定の水位まで低下するとオンに切り替わり、制御部はこれを検知して、加圧ポンプ９００を停止させる。
【００２４】
給水側逆止弁８４０はタンク本体８２０からタンク側給水路３６０への逆流を抑止している。ＶＢ側逆止弁８６０は、タンク本体８２０から排水路３９０への逆流を抑止している。
【００２５】
次に、図２及び図３を参照して本発明の一実施形態に係る水洗大便器のバキュームブレーカについて説明する。
図２は本発明の一実施形態に係る水洗大便器のバルブユニットを示す上面図であり、図３は図２のＩＩＩ−ＩＩＩ断面図である。
【００２６】
バキュームブレーカ６８０は、給水路切替弁６６０の下流に設けられリム側給水路３４０へ通じるリム側入水口（図示せず）と、このリム側入水口を開閉するリム側弁体（図示せず）と、このリム側弁体を通過した洗浄水が流入するリム側水流路（図示せず）と、このリム側水流路を通過した洗浄水をリム側給水路３４０へ流出させるリム側出水口６８４ａとを有する。さらに、図２に示すように、リム側弁体の上方には円筒状のリム側大気導入口６８５ａが形成されている。
同様に、バキュームブレーカ６８０は、給水路切替弁６６０の下流に設けられタンク側給水路３６０へ通じるタンク側入水口（図示せず）と、このタンク側入水口を開閉するタンク側弁体（図示せず）と、このタンク側弁体６８２ｂを通過した洗浄水が流入するタンク側水流路（図示せず）と、このタンク側水流路を通過した洗浄水をタンク側給水路へ流出させるタンク側出水口６８４ｂとを有する。さらに、図２に示すように、タンク側弁体の上方には円筒状のタンク側大気導入口６８５ｂが形成されている。
また、リム側大気導入口６８５ａ及びタンク側大気導入口６８５ｂの周囲には、リム側大気導入口６８５ａ及びタンク側大気導入口６８５ｂを取り囲むように水受け部６８６が形成されている。
【００２７】
リム側弁体は、非通水時においては、その自重により、リム側入水口に形成されたシート面に着座して、リム側入水口を閉鎖している。この際、リム側水流路とリム側大気導入口６８５ａは連通されている。また、通水時においては、リム側弁体は、流入する洗浄水の水勢により上方に押し上げられ、リム側大気導入口６８５ａの下端に形成されているシート面に着座して、リム側大気導入口６８５ａが閉鎖される。この際、リム側入水口とリム側出水口６８４ａは連通される。
同様に、タンク側弁体は、非通水時においては、その自重により、タンク側入水口に形成されたシート面に着座して、タンク側入水口を閉鎖している。この際、タンク側水流路とタンク側大気導入口６８５ｂは連通されている。また、通水時においては、タンク側弁体は、流入する洗浄水の水勢により上方に押し上げられ、タンク側大気導入口６８５ｂの下端に形成されているシート面に着座して、タンク側大気導入口６８５ｂが閉鎖される。この際、タンク側入水口とタンク側出水口６８４ｂは連通される。
【００２８】
図２及び図３に示すように、水受け部６８６はリム側大気導入口６８５ａ及びタンク側大気導入口６８５ｂの出口部分を取り囲むように形成され、上面が開放された上面が開放された箱状である。この水受け部６８６は、リム側弁体やタンク側弁体が、リム側大気導入口６８５ａ及びタンク側大気導入口６８５ｂを閉鎖する際等に、リム側大気導入口６８５ａ及びタンク側大気導入口６８５ｂから溢れ出た洗浄水を受け入れるように構成されている。
また、水受け部６８６の底面には、排水口６８６ａが開口され、この排水口６８６ａと貯水タンク８００とが排水路３９０により接続されている。これにより、リム側大気導入口６８５ａ及びタンク側大気導入口６８５ｂから溢れ出た洗浄水は、水受け部６８６に入り、排水口６８６ａから排水路３９０を通って貯水タンク８００へと排水される。また、水受け部６８６の対面は、排水口６８６ａに向けて段階的に傾斜いている。
【００２９】
次に、図３及び図４を参照して本発明の一実施形態に係る水洗大便器の貯水タンクの逆止弁について説明する。
図４は図３のＩＶ−ＩＶ断面図である。
図３に示すように、タンク本体８２０は、タンク本体８２０の内部へ吸気を行う導入部８５０を備える。
【００３０】
導入部８５０は、タンク本体８２０の内部と外部とを連通する連通流路８５２と、連通流路８５２の上流端部に設けられた吸気口部８５４と、連通流路８５２の内壁から内部に向けて突出し連通流路８５２の流れ方向（図３の上下方向）に直交する断面の断面積を狭める絞り部８５６とを有する。また、吸気口部８５４と絞り部８５６との間には、ＶＢ側逆止弁８６０が設けられる。
吸気口部８５４は、吸気口８５４ａを形成し、排水路３９０と連通することで、排水路３９０を介して水受け部６８６の排水口６８６ａからタンク本体８２０へと吸気を行う。また、絞り部８５６側へ向けて突出した凸条部８５４ｂが吸気口８５４ａを取り囲むように形成され、凸条部８５４ｂの基端（図３における上端）から外方かつ絞り部８５６から遠ざかる方向へ延びる傾斜面８５４ｃが形成される。
絞り部８５６は、連通流路８５２の内壁から内部に向けて突出することで連通流路８５２に水平断面円形状の絞り開口８５６ａを形成する。
【００３１】
図３及び図４に示すように、ＶＢ側逆止弁８６０は、絞り開口８５６ａを上方から覆う逆止弁本体８６２と、逆止弁本体８６２に設けられ凸条部８５４ｂに当接することで凸条部８５４ｂとの間の水密を保持可能な弁体８６４とを有する。即ち、凸条部８５４ｂは、弁体８６４と当接可能な弁座として機能する。
逆止弁本体８６２は、下方が開放され上方が閉塞された水平断面円形状の筒状に形成され、吸気口部８５４と絞り部８５６との間にて摺動可能に設けられる。また、逆止弁本体８６２の外周縁は凸条部８５４ｂの外周縁よりも大きく形成される。
このような構成により、通常時においては、逆止弁本体８６２は絞り開口８５６ａを上方から覆った状態で絞り部８５６に載置される。その一方、タンク本体８２０から連通流路８５２を介して排水路３９０へ水が逆流しようとした際には、ＶＢ側逆止弁８６０が流入する水の水勢により上方に押し上げられることで、凸条部８５４ｂに着座して弁体８６４が凸条部８５４ｂとの間の水密を保持し、吸気口８５４ａを閉鎖する。
【００３２】
上述した本発明の一実施形態による水洗大便器１００の貯水タンク８００によれば、逆止弁本体８６２が絞り開口８５６ａを覆うため、タンク本体８２０内部にて生じた蒸気は、絞り開口８５６ａを通過した後、逆止弁本体８６２内壁に到達し、逆止弁本体８６２内にて結露水となり、タンク本体８２０内へと流れ込む。従って、吸気口８５４ａから上流側へと蒸気が向かうことを抑制することができるため、制御部等が結露水により濡れて故障することを抑制することができる。また、水受け部６８６の上部に蒸気による結露水をタンク本体８２０内へ返すための蓋部等を設ける必要がなく、機能部３００が大型化することを抑制することができる。従って、コストの増加、及び、大型化による機能部３００のレイアウトの自由度が損なわれることを抑制することができる。
【００３３】
さらに、上述した本発明の一実施形態による水洗大便器１００の貯水タンク８００によれば、逆止弁本体８６２は、逆止弁本体８６２の外周縁が凸条部８５４ｂの外周縁よりも大きく形成されている。そのため、より確実に、タンク本体８２０内部にて生じた蒸気が吸気口８５４ａから上流側へと向かうことを抑制することができる。
【００３４】
また、上述した本発明の一実施形態による水洗大便器１００の貯水タンク８００によれば、吸気口部８５４は、凸条部８５４ｂの基端から外方かつ絞り部８５６から遠ざかる方向へ延びる傾斜面８５４ｃを有する。そのため、タンク本体８２０内部にて生じた蒸気を傾斜面８５４ｃによりタンク本体８２０側へと返すことができ、より確実に、タンク本体８２０内部にて生じた蒸気が吸気口８５４ａから上流側へと向かうことを抑制することができる。
【００３５】
なお、本発明は上述した一実施形態に限定されるものではない。例えば、本発明の貯水タンクは水洗大便器以外にも適用できるものである。また、逆止弁本体は絞り開口を覆っていればよく、下方が開放され上方が閉塞された水平断面四角形状の筒状に形成されてもよい。さらに、本実施形態においては、逆止弁本体８６２の内側の天面は平坦に形成されているが、例えば、内側の天面が上方に向けて突出して形成されてもよい。このような形態によれば、結露水をよりタンク本体内へと返しやすくなる。また、絞り開口の形状も、水平断面円形状に限られるものではなく、例えば水平断面四角形でもよい。さらに、絞り部８５６よりも上流側にＶＢ側逆止弁８６０をさらにもう１つ備える形態としてもよい。このような形態によれば、より確実に結露水をよりタンク本体内へと返しやすくなる。
【符号の説明】
【００３６】
１００…水洗大便器
２００…便器本体
２１０…ボウル部
２１２…リム吐水口
２１４…ジェット吐水口
２２０…排水トラップ管路
３００…機能部
３２０…給水路
３４０…リム側給水路
３６０…タンク側給水路
３７０…ポンプ側給水路
３８０…ジェット側給水路
３９０…排水路
６００…バルブユニット
６２０…定流量弁
６４０…主弁
６６０…給水路切替弁
６８０…バキュームブレーカ
６８４ａ…リム側出水口
６８４ｂ…タンク側出水口
６８５ａ…リム側大気導入口
６８５ｂ…タンク側大気導入口
６８６…水受け部
６８６ａ…排水口
８００…貯水タンク
８２０…タンク本体
８４０…給水側逆止弁
８５０…導入部
８５２…連通流路
８５４…吸気口部
８５４ａ…吸気口
８５４ｂ…凸条部（弁座）
８５４ｃ…傾斜面
８５６…絞り部
８５６ａ…絞り開口
８６０…ＶＢ側逆止弁
８６２…逆止弁本体
８６４…弁体
９００…加圧ポンプ
【図１】
0006685505.tif 000002
【図２】
0006685505.tif 000003
【図３】
0006685505.tif 000004
【図４】
0006685505.tif 000005